【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
クライアント機器が接続され第１の通信プロトコルで通信が行われる第１のネットワークに設けられた中継装置と、この中継装置が第２のネットワークを通し第２の通信プロトコルで接続されるサーバとを有し、
前記中継装置には、前記クライアント機器の前記第１の通信プロトコルでのグローバルアドレスを記憶する前記クライアント機器グローバルアドレス記憶部と、前記サーバの第２のプロトコルでのグローバルアドレスを記憶するサーバアドレス記憶部と、この記憶部に記憶されたサーバのグローバルアドレスに基づき前記クライアント機器からの接続を前記サーバを経由するようにルーティングするための第１のルーティング装置と、第１のプロトコルでのパケットを第２のプロトコルでカプセリング／ディカプセリングすることで前記サーバとの間で第１のプロトコルのトンネリング接続を確立する第１のパケット処理装置と、が設けられており、
前記サーバには、前記中継装置との間のトンネリング接続を可能にするために第１のプロトコルでのパケットを第２のプロトコルでカプセリング／ディカプセリングする第２のパケット処理装置と、前記中継装置に接続された前記クライアント機器の第１のプロトコルでのグローバルアドレスを前記中継装置の第２のプロトコルでのグローバルアドレスに関連付けて管理する端末機器グローバルアドレス管理装置と、この管理装置で管理された前記端末機器のグローバルアドレスに基づいて前記中継装置へのルーティングを行う第２のルーティング装置と、前記クライアント機器若しくは／及び前記中継装置が所定の機種であるかを判別する機種判別部と、が設けられている
ことを特徴とするインターネット接続システム。
【請求項２】
請求項１記載のインターネット接続システムにおいて、
前記サーバには、前記機種判別部により前記クライアント機器若しくは中継装置が所定の種別でないと判断された場合、それに基づいて当該通信セッションを切断若しくはパケットの送受信を制限する通信セッション切断部が設けられていることを特徴とするシステム。
【請求項３】
請求項１記載のインターネット接続システムにおいて、
前記サーバには、前記機種判別部による判断結果に基づいて前記クライアント機器に送信する命令をこのクライアント機器を制御するための所定形式のコマンドに変換するコマンド変換部が設けられていることを特徴とするシステム。
【請求項４】
請求項１記載のインターネット接続システムにおいて、
前記サーバには、前記機種判別部による判断結果に基づいて前記クライアント機器を制御するクライアント機器制御部が設けられていることを特徴とするシステム。
【請求項５】
クライアント機器が接続され第１の通信プロトコルで通信が行われる第１のネットワークに設けられた中継装置と、この中継装置が第２のネットワークを通し第２の通信プロトコルで接続されるサーバとを有し、
前記中継装置には、前記クライアント機器の前記第１の通信プロトコルでのグローバルアドレスを記憶する前記クライアント機器グローバルアドレス記憶部と、前記サーバの第２のプロトコルでのグローバルアドレスを記憶するサーバアドレス記憶部と、この記憶部に記憶されたサーバのグローバルアドレスに基づき前記クライアント機器からの接続を前記サーバを経由するようにルーティングするための第１のルーティング装置と、第１のプロトコルでのパケットを第２のプロトコルでカプセリング／ディカプセリングすることで前記サーバとの間で第１のプロトコルのトンネリング接続を確立する第１のパケット処理装置と、が設けられており、
前記サーバには、前記中継装置との間のトンネリング接続を可能にするために第１のプロトコルでのパケットを第２のプロトコルでカプセリング／ディカプセリングする第２のパケット処理装置と、前記中継装置に接続された前記クライアント機器の第１のプロトコルでのグローバルアドレスを前記中継装置の第２のプロトコルでのグローバルアドレスに関連付けて管理する端末機器グローバルアドレス管理装置と、この管理装置で管理された前記端末機器のグローバルアドレスに基づいて前記中継装置へのルーティングを行う第２のルーティング装置と、前記クライアント機器若しくは／及び中継装置が接続された第１のネットワークの環境が所定の種別であるかを判別するネットワーク種別判別部と、が設けられている
ことを特徴とするインターネット接続システム。
【請求項６】
請求項５記載のシステムにおいて、
前記サーバは、前記クライアント機器若しくは中継装置が接続されたプライベートネットワーク環境が所定の種別でないと判断された場合、それに基づいて当該通信セッションを切断若しくはパケットの送受信を制限する通信セッション切断部を有することを特徴とするシステム。
【請求項７】
請求項６記載のシステムにおいて、
前記サーバは、前記クライアント機器若しくは／及び中継装置の動作状態、使用状態、位置情報の少なくとも１つ又は複数の情報を取得する状態情報取得部を有することを特徴とするシステム。
【請求項８】
請求項７記載のシステムにおいて、
前記状態情報取得部は、前記クライアント機器の機種に応じた方法で前記クライアント機器の動作状態、使用状態、位置情報の少なくとも１つ又は複数の情報を取得するものであることを特徴とするシステム。
【請求項９】
請求項７記載のシステムにおいて、
前記サーバは、前記クライアント機器若しくは中継装置のアドレス、動作状態、使用状態、位置情報の少なくとも１つ又は複数の情報を組み合わせた情報に基づいて前記クライアント機器若しくは中継装置を検索する検索部を有することを特徴とするシステム。
【請求項１０】
請求項８記載のシステムにおいて、
前記検索部は、前記中継装置毎にこの中継装置に接続されたクライアント機器を一覧表示する手段を有することを特徴とするシステム。
【請求項１１】
請求項１０記載のインターネット接続システムにおいて、
前記サーバには、前記クライアント機器を制御するクライアント機器制御部が設けられており、
このクライアント機器制御部は、前記一覧表示から特定のクライアント機器を選択することでこのクライアント機器に対応するクライアント制御プログラムを起動させるものである
ことを特徴とするシステム。
【請求項１２】
クライアント機器が接続され第１の通信プロトコルで通信が行われる第１のネットワークに設けられた中継装置と、この中継装置が第２のネットワークを通し第２の通信プロトコルで接続されるサーバとを有し、
前記中継装置には、前記クライアント機器の前記第１の通信プロトコルでのグローバルアドレスを記憶する前記クライアント機器グローバルアドレス記憶部と、前記サーバの第２のプロトコルでのグローバルアドレスを記憶するサーバアドレス記憶部と、この記憶部に記憶されたサーバのグローバルアドレスに基づき前記クライアント機器からの接続を前記サーバを経由するようにルーティングするための第１のルーティング装置と、第１のプロトコルでのパケットを第２のプロトコルでカプセリング／ディカプセリングすることで前記サーバとの間で第１のプロトコルのトンネリング接続を確立する第１のパケット処理装置と、が設けられており、
前記サーバには、前記中継装置との間のトンネリング接続を可能にするために第１のプロトコルでのパケットを第２のプロトコルでカプセリング／ディカプセリングする第２のパケット処理装置と、前記中継装置に接続された前記クライアント機器の第１のプロトコルでのグローバルアドレスを前記中継装置の第２のプロトコルでのグローバルアドレスに関連付けて管理する端末機器グローバルアドレス管理装置と、この管理装置で管理された前記端末機器のグローバルアドレスに基づいて前記中継装置へのルーティングを行う第２のルーティング装置と、前記クライアント機器若しくは／及び中継装置が接続された第１のネットワークの環境が所定の種別であるかを判別するネットワーク種別判別部と、が設けられており、
前記中継装置には、前記クライアント機器が所定の機種であるかを判別する機種判別部が設けられている
ことを特徴とするインターネット接続システム。
【請求項１３】
請求項１２記載のインターネット接続システムにおいて、
前記中継装置には、前記機種判別部により前記クライアント機器が所定の種別でないと判断された場合、それに基づいて当該通信セッションを切断する通信セッション切断部が設けられている
ことを特徴とするシステム。
【手続補正２】
【補正対象書類名】明細書
【補正対象項目名】００１２
【補正方法】変更
【補正の内容】
【００１２】
【課題を解決するための手段】
上記目的を達成するため、この発明の第１の主要な側面によれば、クライアント機器が接続され第１の通信プロトコルで通信が行われる第１のネットワークに設けられた中継装置と、この中継装置が第２のネットワークを通し第２の通信プロトコルで接続されるサーバとを有し、前記中継装置には、前記クライアント機器の前記第１の通信プロトコルでのグローバルアドレスを記憶する前記クライアント機器グローバルアドレス記憶部と、前記サーバの第２のプロトコルでのグローバルアドレスを記憶するサーバアドレス記憶部と、この記憶部に記憶されたサーバのグローバルアドレスに基づき前記クライアント機器からの接続を前記サーバを経由するようにルーティングするための第１のルーティング装置と、第１のプロトコルでのパケットを第２のプロトコルでカプセリング／ディカプセリングすることで前記サーバとの間で第１のプロトコルのトンネリング接続を確立する第１のパケット処理装置と、が設けられており、前記サーバには、前記中継装置との間のトンネリング接続を可能にするために第１のプロトコルでのパケットを第２のプロトコルでカプセリング／ディカプセリングする第２のパケット処理装置と、前記中継装置に接続された前記クライアント機器の第１のプロトコルでのグローバルアドレスを前記中継装置の第２のプロトコルでのグローバルアドレスに関連付けて管理する端末機器グローバルアドレス管理装置と、この管理装置で管理された前記端末機器のグローバルアドレスに基づいて前記中継装置へのルーティングを行う第２のルーティング装置と、前記クライアント機器若しくは／及び前記中継装置が所定の機種であるかを判別する機種判別部と、が設けられていることを特徴とするインターネット接続システムが提供される。
【手続補正３】
【補正対象書類名】明細書
【補正対象項目名】００１６
【補正方法】変更
【補正の内容】
【００１６】
この発明の１の実施形態によれば、前記サーバには、前記機種判別部により前記クライアント機器若しくは中継装置が所定の種別でないと判断された場合、それに基づいて当該通信セッションを切断若しくはパケットの送受信を制限する通信セッション切断部が設けられていることが好ましい。また、前記サーバには、前記機種判別部による判断結果に基づいて前記クライアント機器に送信する命令をこのクライアント機器を制御するための所定形式のコマンドに変換するコマンド変換部が設けられていても良い。さらに、前記サーバには、前記機種判別部による判断結果に基づいて前記クライアント機器を制御するクライアント機器制御部が設けられていることが望ましい。
【手続補正４】
【補正対象書類名】明細書
【補正対象項目名】００１７
【補正方法】変更
【補正の内容】
【００１７】
この発明の第２の主要な側面によれば、クライアント機器が接続され第１の通信プロトコルで通信が行われる第１のネットワークに設けられた中継装置と、この中継装置が第２のネットワークを通し第２の通信プロトコルで接続されるサーバとを有し、前記中継装置には、前記クライアント機器の前記第１の通信プロトコルでのグローバルアドレスを記憶する前記クライアント機器グローバルアドレス記憶部と、前記サーバの第２のプロトコルでのグローバルアドレスを記憶するサーバアドレス記憶部と、この記憶部に記憶されたサーバのグローバルアドレスに基づき前記クライアント機器からの接続を前記サーバを経由するようにルーティングするための第１のルーティング装置と、第１のプロトコルでのパケットを第２のプロトコルでカプセリング／ディカプセリングすることで前記サーバとの間で第１のプロトコルのトンネリング接続を確立する第１のパケット処理装置と、が設けられており、前記サーバには、前記中継装置との間のトンネリング接続を可能にするために第１のプロトコルでのパケットを第２のプロトコルでカプセリング／ディカプセリングする第２のパケット処理装置と、前記中継装置に接続された前記クライアント機器の第１のプロトコルでのグローバルアドレスを前記中継装置の第２のプロトコルでのグローバルアドレスに関連付けて管理する端末機器グローバルアドレス管理装置と、この管理装置で管理された前記端末機器のグローバルアドレスに基づいて前記中継装置へのルーティングを行う第２のルーティング装置と、前記クライアント機器若しくは／及び中継装置が接続された第１のネットワークの環境が所定の種別であるかを判別するネットワーク種別判別部と、が設けられていることを特徴とするインターネット接続システムが提供される。この場合、前記サーバは、前記クライアント機器若しくは中継装置が接続されたプライベートネットワーク環境が所定の種別でないと判断された場合、それに基づいて当該通信セッションを切断若しくはパケットの送受信を制限する通信セッション切断部を有することが好ましい。さらに、この場合、前記サーバは、前記クライアント機器若しくは／及び中継装置の動作状態、使用状態、位置情報の少なくとも１つ又は複数の情報を取得する状態情報取得部を有することが望ましく、この状態情報取得部は、前記クライアント機器の機種に応じた方法で前記クライアント機器の動作状態、使用状態、位置情報の少なくとも１つ又は複数の情報を取得するものであることがさらに好ましい。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
また、この発明の第３の主要な側面によれば、クライアント機器が接続され第１の通信プロトコルで通信が行われる第１のネットワークに設けられた中継装置と、この中継装置が第２のネットワークを通し第２の通信プロトコルで接続されるサーバとを有し、前記中継装置には、前記クライアント機器の前記第１の通信プロトコルでのグローバルアドレスを記憶する前記クライアント機器グローバルアドレス記憶部と、前記サーバの第２のプロトコルでのグローバルアドレスを記憶するサーバアドレス記憶部と、この記憶部に記憶されたサーバのグローバルアドレスに基づき前記クライアント機器からの接続を前記サーバを経由するようにルーティングするための第１のルーティング装置と、第１のプロトコルでのパケットを第２のプロトコルでカプセリング／ディカプセリングすることで前記サーバとの間で第１のプロトコルのトンネリング接続を確立する第１のパケット処理装置と、が設けられており、前記サーバには、前記中継装置との間のトンネリング接続を可能にするために第１のプロトコルでのパケットを第２のプロトコルでカプセリング／ディカプセリングする第２のパケット処理装置と、前記中継装置に接続された前記クライアント機器の第１のプロトコルでのグローバルアドレスを前記中継装置の第２のプロトコルでのグローバルアドレスに関連付けて管理する端末機器グローバルアドレス管理装置と、この管理装置で管理された前記端末機器のグローバルアドレスに基づいて前記中継装置へのルーティングを行う第２のルーティング装置と、前記クライアント機器若しくは／及び中継装置が接続された第１のネットワークの環境が所定の種別であるかを判別するネットワーク種別判別部と、が設けられており、前記中継装置には、前記クライアント機器が所定の機種であるかを判別する機種判別部が設けられていることを特徴とするインターネット接続システムが提供される。この場合、前記中継装置には、前記機種判別部により前記クライアント機器が所定の種別でないと判断された場合、それに基づいて当該通信セッションを切断する通信セッション切断部が設けられていることが好ましい。
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】